(57)【特許請求の範囲】
【請求項１】
所定の表紙体に取り付けられるベースと、このベースの一端側に屈曲可能に連設されるとともに、紙葉類に設けられた綴じ穴に挿通可能な二本のパイプ状の綴じ足を備えた綴じ足保持体と、前記ベースの他端側に連設されるとともに、前記綴じ足が倒伏した綴じ込み姿勢を維持可能に設けられた係合部と、前記各綴じ足の先端間に装着されて前記係合部に係脱可能に設けられた渡設部材とを備えた綴じ具において、
前記渡設部材は、前記各綴じ足の先端から挿入可能な軸部と、この軸部の一端側を連結する連結部とを含み、
前記連結部には、前記軸部を綴じ足に挿入したときに、前記綴じ足の先端よりも内方であって連結部の左右両側領域に位置する一対の紙押え部が形成され、当該紙押え部は、綴じ足の先端近傍位置に設けられるとともに、綴じ込まれた紙葉類の先頭頁を綴じ足の先端より内方に押圧可能に設けられていることを特徴とする綴じ具。
【請求項２】
前記ベースに、前記綴じ足保持体と係合部との間に位置する一対の外壁部を立設し、これら一対の外壁部は、前記紙葉類の綴じ込み縁領域を受容して、当該紙葉類の面方向への移動を規制可能な離間幅を隔てて配置されていることを特徴とする請求項１記載の綴じ具。
【発明の詳細な説明】
【０００１】
【産業上の利用分野】
本発明は、綴じ具に係り、更に詳しくは、綴じ込まれた紙葉類の面方向へのがたつきを抑制する一方、綴じ足の先端側における紙葉類の挟み込みを防止することができる綴じ具に関する。
【０００２】
【従来の技術】
従来より、オフィス等において、名刺を収納するポケットを備えた多数枚の台紙を綴じ込むファイルタイプの名刺ホルダーが利用されている。このような名刺ホルダー５０は、図９（Ａ）に示されるように、背表紙５１を介して連設された表表紙５２及び裏表紙５３からなる表紙体５５と、この表紙体５５の内側に配置されるとともに、名刺Ｍを、例えば三枚横並びに収納可能なポケットを備えた台紙５６と、前記背表紙５１の内面側に装着されるとともに、台紙５６に形成された綴じ穴５７を挿通して綴じ込みを行う綴じ具６０とを備えて構成されている。
【０００３】
前記綴じ具６０は、図１０に示されるように、前記背表紙５１の内面に取り付けられる略長方形のベース６１と、このベース６１の図中短寸幅方向における一端側に屈曲可能に連設されるともに、前記綴じ穴５７を挿通する二本のパイプ状の綴じ足６２を備えた綴じ足保持体６３と、前記綴じ足６２の先端側を連結するコ字状の渡設部材６５と、前記ベース６１の他端側に連設されるとともに、渡設部材６５と係合して綴じ足６２の倒伏した綴じ込み姿勢を維持可能な係合部６６とを備えて構成されている。ここで、前記渡設部材６５は、図１１に示されるように、綴じ足６２内に受容される軸部６５Ａと、これら軸部６５Ａの一端側を連結する連結部６５Ｂとにより構成されている。この綴じ具６０に台紙５６を綴じ込む作業は、当該台紙５６の綴じ穴５７に綴じ足６２を挿通した後、これら綴じ足６２内に軸部６５Ａを挿入させ、連結部６５Ｂを係合部６６の内面側に係合させることによって行われる。
【０００４】
【発明が解決しようとする課題】
しかしながら、このような綴じ具６０の構成にあっては、各綴じ足６２内に渡設部材６５を挿入して綴じ込みを行う際に、綴じ足６２の先端と連結部６５Ｂとの間に台紙５６の綴じ穴５７回りが挟まりがちとなり、これにより、台紙５６の頁捲り操作が煩雑若しくは困難になるという不都合を生じる。また、台紙５６及び表紙体５５が前述したように横長形状となっているため、台紙５６が面方向に滑る傾向が強くなり、台紙５６の自由端側が表紙体５１からはみ出た状態（図９（Ｂ）参照）となる場合が多く、これがため、外観上の体裁や携帯性を損ねるばかりでなく、台紙５６の綴じ穴５７回りに破れ等の損傷を生じるという不都合も招来する。
【０００５】
【発明の目的】
本発明は、このような不都合に着目して案出されたものであり、その目的は、綴じ足の先端と渡設部材との間に紙葉類が挟まった状態となることを確実に回避することができる綴じ具を提供することにある。
【０００６】
本発明の他の目的は、綴じ足により綴じ込まれる台紙等の紙葉類の面方向における移動を規制することができる綴じ具を提供することにある。
【０００７】
【課題を解決するための手段】
前記目的を達成するため、本発明は、所定の表紙体に取り付けられるベースと、このベースの一端側に屈曲可能に連設されるとともに、紙葉類に設けられた綴じ穴に挿通可能な二本のパイプ状の綴じ足を備えた綴じ足保持体と、前記ベースの他端側に連設されるとともに、前記綴じ足が倒伏した綴じ込み姿勢を維持可能に設けられた係合部と、前記各綴じ足の先端間に装着されて前記係合部に係脱可能に設けられた渡設部材とを備えた綴じ具において、
前記渡設部材は、前記各綴じ足の先端から挿入可能な軸部と、この軸部の一端側を連結する連結部とを含み、
前記連結部には、前記軸部を綴じ足に挿入したときに、前記綴じ足の先端よりも内方であって連結部の左右両側領域に位置する一対の紙押え部が形成され、当該紙押え部は、綴じ足の先端近傍位置に設けられるとともに、綴じ込まれた紙葉類の先頭頁を綴じ足の先端より内方に押圧可能に設けられる、という構成が採用されている。このような構成によれば、綴じ足の長さと略同一となる厚さ程度に多数枚の紙葉類を綴じ込む場合、この紙葉類の先頭頁が紙押え部により綴じ足の基端側に押圧されて当該綴じ足の先端より落ち込んだ状態となり、綴じ足の先端と連結部との間に紙葉類が挟まってしまう虞を有効に回避することができる他、渡設部材を係合部に係合させる際に、台紙が持ち上がってきて当該係合部に当たってしまう虞を排除することができる。しかも、綴じ穴周辺の紙葉類を内方に押圧することができ、紙葉類が連結部と綴じ足との間に挟まる虞をより効果的に防止することができる。
【０００８】
【発明の実施の形態】
本発明におけるベースに、前記綴じ足保持体と係合部との間に位置する一対の外壁部を立設し、これら一対の外壁部は、前記紙葉類の綴じ込み縁領域を受容して、当該紙葉類の面方向への移動を規制可能な離間幅を隔てて配置される、という構成を採ることが好ましい。このような構成により、各外壁部は、紙葉類の綴じ込み縁における両側の端縁に対して殆ど隙間のない状態に位置することとなり、この紙葉類の自由端側が面方向に滑ったり、がたついたりすることを防止することができる。従って、綴じ具が取り付けられたファイル等の携帯性を良好に保持することができるとともに、ファイルの内側に配置された紙葉類の綴じ穴回りに破れ等の損傷を与える虞を排除することができる。
【０００９】
【実施例】
以下、本発明の実施例を図面を参照しながら説明する。
【００１０】
図１には、本実施例に係る綴じ具が名刺ホルダーに適用された実施例の概略斜視図が示され、図２には、前記綴じ具を用いて紙葉類の加除整理を行うときの姿勢となる概略斜視図が示されている。これらの図において、綴じ具１０は、開閉可能に設けられた表紙体Ｈにおける背表紙Ｈ１の内面側に取り付けられている。この綴じ具１０は、平面視略長方形の板状に形成されたベース１１と、紙葉類としてのポケット付き台紙Ｐの綴じ込み縁Ｐ１寄りの二箇所に設けられた綴じ穴Ｐ２を挿通する一対の綴じ足１２と、これら各綴じ足１２間に装着される渡設部材１３と、前記ベース１１の図中短寸幅方向一端側に屈曲可能に連設された綴じ足保持体１４と、前記ベース１１の他端側に設けられた係合部１６と、前記ベース１１に立設された一対の外壁部１８とを備えて構成されている。
【００１１】
前記各綴じ足１２は、図３に示されるように、渡設部材１３を受容可能なパイプ状に形成されている。これら綴じ足１２の各先端側には、内周縁から外周縁に向かって、図３中次第に低くなるテーパ状の傾斜面１２Ａが形成されている一方、各基端側は、綴じ足１２が綴じ足保持体１４に対して略直交するよう当該綴じ足保持体１４の面内に支持されている。
【００１２】
前記渡設部材１３は、図３及び図４に示されるように、本実施例では、綴じ足１２の内径より僅かに小さい軸径を備えた一本の金属線を折り曲げて構成されている。この渡設部材１３は、各綴じ足１２の先端側から挿入可能な一対の軸部２０と、これら軸部２０の一端側を相互に連結する連結部２１と、この連結部２１の左右両側領域に形成された一対の紙押え部２２とを備えて構成されている。各紙押え部２２は、渡設部材１３を綴じ足１２に装着した際に、すなわち、軸部２０を綴じ足１２に挿通した際に、当該綴じ足１２の先端に干渉することなく綴じ足１２の先端近傍に位置するとともに、各綴じ足１２の先端より内方に位置するように連結部２１を部分的に屈曲させて形成されている。これにより、紙押え部２２は、多数枚の綴じ込まれた台紙Ｐを綴じ足保持体１４側に押圧することとなる。
【００１３】
前記綴じ足保持体１４は、前記ベース１１の長手方向に沿って延びる長片板状をなし、ベース１１の図５中右端側に肉薄なるヒンジ部２４を介して屈曲可能に連設され、図１に示される起立位置と、図２に示される略水平な倒伏位置との間で開閉可能となっている。従って、起立位置から外れた位置、好ましくは、図２に示される位置において、渡設部材１３の着脱をスムースに行うことができ、同時に、綴じ足１２への台紙Ｐの加除整理も可能となっている。なお、綴じ足保持体１４の長手方向両端には、外壁部１８と略同一面上に位置する屈曲面部１４Ａが連設されており、この屈曲面部１４Ａによって綴じ足保持体１４の剛性が確保されるとともに、外壁部１８の一部として作用し得るようになっている。
【００１４】
前記係合部１６は、図５及び図６に示されるように、前記ベース１１の短寸幅方向に沿う他端側、すなわち、綴じ足保持体１４と相反する反対側に立設されている。この係合部１６は、図７に示されるように、ベース１１の略中央領域に立設された係合爪片２６と、この係合爪片２６に隙間Ｃ１を介して図７中左右両側に位置する一対のカバー壁部２７とを備えて構成されている。
【００１５】
前記係合爪片２６の上端側には、当該上端から内面の下方に向かって傾斜する傾斜面２６Ａ（図５参照）が形成されているとともに、この傾斜面２６Ａの下方における係合爪片２６の内面側には、渡設部材１３の連結部２１を受容可能な凹状部２６Ｂが形成されている。また、カバー壁部２７には、係合爪片２６寄りの上端コーナー領域に切欠傾斜部２７Ａが形成されているとともに、この切欠傾斜部２７Ａの図６中下方であってカバー壁部２７の内面側に段部２７Ｂが形成されている。これにより、渡設部材１３を装着した綴じ足１２を倒伏して綴じ込み姿勢とする際に、連結部２１は、係合爪片２６を外側に弾性変形させながら傾斜面２６Ａを滑動し、強制的に凹状部２６Ｂに受容されて綴じ足１２の綴じ込み姿勢が維持されることとなる。この際、係合爪片２６は、前記隙間Ｃ１の存在により、無理なく弾性変形して連結部２１を受容することができる。この一方、カバー壁部２７の段部２７Ｂに連結部２１の一部が乗り、前記倒伏姿勢を安定化させることとなる。
【００１６】
前記各外壁部１８は、図７及び図８に示されるように、カバー壁部２７と綴じ足保持体１４との間に位置するとともに、綴じ込まれる台紙Ｐの図中左右幅に対して各外壁部１８の内面間距離が略同一となる離間幅を隔てて立設されている。すなわち、台紙Ｐの綴じ込み縁Ｐ１を含む一定領域を略ぴったりと受容する離間幅と高さを備えて構成されている。
【００１７】
以上の構成において、本実施例の綴じ具１０における台紙Ｐの綴じ込み作業は、図２に示された状態で、綴じ穴Ｐ２に綴じ足１２を挿通させた後に、渡設部材１３を綴じ足１２内に挿入させて、綴じ足保持体１４を綴じ足１２が倒伏姿勢となるように連結部２１を凹状部２６Ｂに受容させればよい。ここで、渡設部材１３を綴じ足１２内に挿入する際に、図３に示されるように、連結部２１に前述したような紙押え部２２を設けたことにより、台紙Ｐの先頭頁が綴じ足１２の先端より内方に押圧された状態となる。また、台紙Ｐが綴じ込まれた状態において、各外壁部１８を立設したことにより、当該台紙Ｐの面方向、すなわち、図８中矢印Ｙ方向への傾倒若しくはがたつきが防止されることとなる。
【００１８】
従って、本実施例によれば、渡設部材１３の連結部２１に紙押え部材２２を設けた構成としたから、綴じ足１２の先端側と渡設部材１３との間に先頭頁の台紙Ｐが挟み込まれる状態となることなく、当該台紙Ｐの頁捲り操作に支障が生じることを排除することができる。また、ベース１１に前述したような一対の外壁部１８を立設したことにより、表紙体Ｈ及び台紙Ｐを横長な形状とした場合にも、台紙Ｐの面方向への移動を規制して、従来例のように台紙Ｐが損傷してしまう虞を排除することが可能となる。
【００１９】
なお、前記実施例では、名刺ホルダーに本発明が適用された場合を図示、説明したが、本発明は、これに限定されるものでなく、アルバム等の台紙を綴じ込む場合にも同様に適用することができる。
【００２０】
【発明の効果】
以上説明したように、本発明によれば、渡設部材を綴じ足に装着した際に、綴じ足の先端より内方に位置する紙押え部が連結部に設けられているから、綴じ込まれる紙葉類の頁数に応じた厚さが綴じ足の長さと略同一となる場合でも、紙葉類を内方に押圧しながら渡設部材を綴じ足に装着することができるようになり、綴じ足の先端と渡設部材との間に紙葉類が挟み付けられた状態となることを防止することができ、且つ、渡設部材を係合部に係合させる際に、台紙が持ち上がってきて係合部に干渉してしまう虞を回避することができる。
【００２１】
また、紙押え部は、連結部における綴じ足の先端の近傍位置に設けられているから、綴じ穴周辺の紙葉類を確実に押圧して、前述したような紙葉類の挟み付けられた状態を効果的に回避することが可能となる。
【００２２】
更に、一対の外壁部が、紙葉類の面方向への移動を規制可能な離間幅を隔ててベースに立設されているから、綴じ込まれた紙葉類ががたつくことにより、表紙体から紙葉類がはみ出たり、綴じ穴周辺の紙葉類に損傷が生じる等の不都合を回避できる。
【図面の簡単な説明】
【図１】本実施例に係る綴じ具の概略斜視図。
【図２】前記綴じ具に紙葉類を綴じ込む作業要領を示す概略斜視図。
【図３】渡設部材を装着した綴じ足の概略平面断面図。
【図４】渡設部材の平面図。
【図５】図１のＡ−Ａ線に沿う断面図。
【図６】図１のＢ−Ｂ線に沿う断面図。
【図７】図２のＤ−Ｄ線に沿う断面図。
【図８】図１のＣ−Ｃ線に沿う断面図。
【図９】（Ａ）は従来の名刺ホルダーの概略正面図であり、（Ｂ）は前記名刺ホルダーの台紙が表紙体からはみ出た状態の概略正面図。
【図１０】従来の綴じ具の概略斜視図。
【図１１】従来の渡設部材の平面図。
【符号の説明】
１０  綴じ具
１１  ベース
１２  綴じ足
１３  渡設部材
１４  綴じ足保持体
１６  係合部
１８  外壁部
２０  軸部
２１  連結部
２２  紙押え部
Ｈ  表紙体
Ｐ  台紙（紙葉類）
Ｐ１  綴じ込み縁
Ｐ２  綴じ穴
【図１】
0004096781.tif 000002
【図２】
0004096781.tif 000003
【図３】
0004096781.tif 000004
【図４】
0004096781.tif 000005
【図５】
0004096781.tif 000006
【図６】
0004096781.tif 000007
【図７】
0004096781.tif 000008
【図８】
0004096781.tif 000009
【図９】
0004096781.tif 000010
【図１０】
0004096781.tif 000011
【図１１】
0004096781.tif 000012